(57)【要約】【課題】  画像表示装置に対して撮影画像を配信して表示する際に、利用者にとって画像が見やすく、利便性の高くなるという効果が得られる。【解決手段】  傾き検出部１０４で画像撮影時の姿勢情報を取得し、画像処理部１０５で、取得された姿勢情報と、画像表示装置２００の姿勢情報とに基づいて、撮像部１０１により撮影された画像の向きを回転補正し、補正された画像を配信する。【選択図】  図１
2005229394.tif 000002
【特許請求の範囲】
【請求項１】
ネットワークを介して画像表示装置に接続され、撮影した画像を前記画像表示装置へ配信する画像撮影装置であって、
画像撮影時の姿勢情報を取得する取得手段と、
前記取得手段により取得された前記姿勢情報と、前記画像表示装置の姿勢情報とに基づいて、前記画像の向きを回転補正する補正手段と、
前記補正手段により補正された画像を配信する配信手段とを備えたことを特徴とする画像撮影装置。
【請求項２】
前記補正手段は、複数の前記画像表示装置の各々の姿勢情報に基づいて前記画像の向きを回転補正し、前記配信手段は、前記補正手段による補正により得られた複数の画像を、対応する各々の画像表示装置へと配信することを特徴とする請求項１に記載の画像撮影装置。
【請求項３】
前記画像撮影装置が姿勢変更中である場合は、撮影した前記画像を配信しないことを特徴とする請求項１または２に記載の画像撮影装置。
【請求項４】
前記補正手段は、ネットワークを介して接続されたサーバー装置に前記回転補正を実行させる指示手段をさらに備えることを特徴とする請求項１に記載の画像撮影装置。
【請求項５】
ネットワークを介して画像表示装置に接続され、撮影した画像を前記画像表示装置へ配信する画像撮影装置の画像配信方法であって、
画像撮影時の姿勢情報を取得する取得工程と、
前記取得工程において取得された前記姿勢情報と、前記画像表示装置の姿勢情報とに基づいて、前記画像の向きを回転補正する補正工程と、
前記補正工程において補正された画像を配信する配信工程とを備えたことを特徴とする画像撮影装置の画像配信方法。
【請求項６】
前記補正工程は、複数の前記画像表示装置の各々の姿勢情報に基づいて前記画像の向きを回転補正し、前記配信工程は、前記補正手段による補正により得られた複数の画像を、対応する各々の画像表示装置へと配信することを特徴とする請求項５に記載の画像撮影装置の画像配信方法。
【請求項７】
前記画像撮影装置が姿勢変更中である場合は、撮影した前記画像を配信しないことを特徴とする請求項５または６に記載の画像撮影装置の画像配信方法。
【請求項８】
前記補正工程は、ネットワークを介して接続されたサーバー装置に前記回転補正を実行させる指示工程をさらに備えることを特徴とする請求項５に記載の画像撮影装置の画像配信方法。
【請求項９】
撮影した画像をネットワークを介して配信する画像撮影装置と、配信された前記画像を受信して表示する画像表示装置を含む画像配信システムであって、
前記画像撮影装置は、
画像撮影時の姿勢情報を取得する取得手段と、
前記取得手段により取得された前記姿勢情報と、前記画像表示装置の姿勢情報とに基づいて、前記画像の向きを回転補正する補正手段と、
前記補正手段により補正された画像を配信する配信手段とを備えたことを特徴とする画像配信システム。
【請求項１０】
ネットワークを介して画像表示装置に接続され、撮影した画像を前記画像表示装置へ配信する画像撮影装置の画像配信方法を実行するためのプログラムであって、
画像撮影時の姿勢情報を取得する取得ステップと、
前記取得ステップにおいて取得された前記姿勢情報と、前記画像表示装置の姿勢情報とに基づいて、前記画像の向きを回転補正する補正ステップと、
前記補正ステップにおいて補正された画像を配信する配信工程とを備えたことを特徴とするプログラム。
【発明の詳細な説明】
【技術分野】
【０００１】
本発明は、画像表示装置に対して撮影画像を配信するための画像撮影装置、画像撮影装置の画像配信方法、画像配信システム、及びプログラムに関する。
【背景技術】
【０００２】
近年、デジタルカメラを始めとする撮影装置には液晶モニタが本体につき、撮影前の画像を確認できるとともに、撮影後の画像をその場で再生することができる。
【０００３】
また、ＣＰＵの高性能化、メモリや外部記憶装置の大容量化、ネットワーク環境の発達により、単なる撮影装置という用途を超えて、撮影画像の加工やネットワークを介した撮影画像の配信などの機能をも持つようになってきている。
【０００４】
例えば、デジタルカメラを９０度回転して撮影した場合、撮影中の画像表示（図１０（ａ）、（ｂ））ではプレビュー画像がそのまま表示されるが、撮影後の再生では、利便性のために画像が回転されて（図１０（ａ’）、（ｂ’））、正立して表示される。
【０００５】
画像の回転補正の従来技術としては、例えば印刷時の補正として、特許文献１のように、撮影時のカメラの傾きを記録しておき、印刷するときに傾きを補正するというものがある。また、特許文献２のように、ある端末装置で表示している画像を回転指示すると、別な端末装置で表示していた同一画像を回転するというものがある。
【特許文献１】特開平１１−２４２２８４号公報
【特許文献２】特開平１０−０２１１６３号公報
【発明の開示】
【発明が解決しようとする課題】
【０００６】
しかしながら、上記の従来技術では、デジタルカメラを始めとする撮影装置で撮影した画像をネットワークを介して配信し、配信された画像を受信して表示するような画像配信システムにおいては、撮影中の画像はそのまま配信されるため、例えば、デジタルカメラを９０度回転して撮影した場合、撮影中の画像表示（図９（ａ）、（ｂ））がそのまま配信され、これを受信して表示した場合には、画像が転倒して（図９（ａ’）、（ｂ’））表示されることになり、利用者にとっては、非常に見辛く、利便性を損ねるものとなっていた。
【０００７】
本発明は上述した問題点を解決するためのものであり、利用者にとって画像が見やすく、利便性の高い画像撮影装置、画像撮影装置の画像配信方法、画像配信システム、及びプログラムを提供することを目的とする。
【課題を解決するための手段】
【０００８】
上記目的を達成するために、本発明の画像撮影装置では、ネットワークを介して画像表示装置に接続され、撮影した画像を前記画像表示装置へ配信する画像撮影装置であって、画像撮影時の姿勢情報を取得する取得手段と、前記取得手段により取得された前記姿勢情報と、前記画像表示装置の姿勢情報とに基づいて、前記画像の向きを回転補正する補正手段と、前記補正手段により補正された画像を配信する配信手段とを備えたことを特徴とする。
【０００９】
また、本発明の画像撮影装置の画像配信方法では、ネットワークを介して画像表示装置に接続され、撮影した画像を前記画像表示装置へ配信する画像撮影装置の画像配信方法であって、画像撮影時の姿勢情報を取得する取得工程と、前記取得工程において取得された前記姿勢情報と、前記画像表示装置の姿勢情報とに基づいて、前記画像の向きを回転補正する補正工程と、前記補正工程において補正された画像を配信する配信工程とを備えたことを特徴とする。
【００１０】
また、本発明の画像配信システムでは、撮影した画像をネットワークを介して配信する画像撮影装置と、配信された前記画像を受信して表示する画像表示装置を含む画像配信システムであって、前記画像撮影装置は、画像撮影時の姿勢情報を取得する取得手段と、前記取得手段により取得された前記姿勢情報と、前記画像表示装置の姿勢情報とに基づいて、前記画像の向きを回転補正する補正手段と、前記補正手段により補正された画像を配信する配信手段とを備えたことを特徴とする。
【００１１】
また、本発明のプログラムでは、ネットワークを介して画像表示装置に接続され、撮影した画像を前記画像表示装置へ配信する画像撮影装置の画像配信方法を実行するためのプログラムであって、画像撮影時の姿勢情報を取得する取得ステップと、前記取得ステップにおいて取得された前記姿勢情報と、前記画像表示装置の姿勢情報とに基づいて、前記画像の向きを回転補正する補正ステップと、前記補正ステップにおいて補正された画像を配信する配信工程とを備えたことを特徴とする。
【発明の効果】
【００１２】
本発明によれば、画像表示装置に対して撮影画像を配信して表示させる際に、利用者にとって画像が見やすく、利便性も高くなるという効果が得られる。
【発明を実施するための最良の形態】
【００１３】
以下、添付図面を用いて、本発明に係る好適な実施形態を詳細に説明する。
【００１４】
（第１の実施形態）
図１は、本発明の第１の実施形態における画像配信システムのブロック図である。
【００１５】
本発明を適用したシステムでは、撮影した画像をネットワーク１を介して配信する画像撮影装置１００と、配信された画像を受信して表示する画像表示装置２００から構成される画像配信システムとして実現される。なお、サーバー装置３００は第３の実施形態にて使用するのでここでは説明を割愛する。
【００１６】
画像撮影装置１００において、撮像部１０１は、被写体を撮影して映像信号を出力する。主記憶部１０２は、撮像部から出力される映像信号が入力され、主に半導体メモリで構成される。出力部１０３は液晶で構成され、撮像部１０１からの映像信号や主記憶部１０２からの再生信号が入力され、映像信号を画面上に表示する。傾き検出部１０４は、加速度センサーなどで構成され、撮影装置１００の傾き（姿勢）を検出し、制御部１０７に通知する。画像処理部１０５は、制御部１０７からの制御信号に基づき処理して、入力された映像信号をキャプチャーし圧縮処理して動画像データや静止画像データに変換処理したり、画像の回転処理などの画像処理を行う。入力部１０６は、撮影装置の各種操作を行うボタンやタッチパネルからの入力を扱う。制御部１０７は、制御手順に従うプログラムを記憶したプログラムメモリ１０９を備え、装置の各構成要素をプログラムメモリ１０９に記憶されているプログラムの制御手順に従って、ＣＰＵ１０８が動作する。Ｉ／Ｆ部１１０は、画像処理部１０５から出力される画像データや制御部１０７から入力される画像データを取り外し可能なメディア１１１に記録する。ネットワークＩ／Ｆ部１１２はネットワーク１に接続され、画像処理部１０５から出力される画像データや制御部１０７から入力される画像データを撮影画像として、画像表示装置２００に配信し、さらに画像表示装置２００からの接続要求を受け付ける。
【００１７】
本実施形態においては、撮影した画像がネットワーク１を介して画像撮影装置１００から配信され、配信された画像を受信した画像表示装置２００が画像を表示する。また、画像撮影時の画像撮影装置１００の姿勢（縦横位置の回転方向）が傾き検出部１０４によって検出され、画像表示装置２００の姿勢とに基づいて、必要であれば画像の向きを画像処理部１０５で回転させて、縦横位置が変わらず正立して表示されるようにした画像が、画像表示装置２００に配信されるように構成されていることを特徴とする。
【００１８】
図８は、画像撮影装置１００および画像表示装置の概観を示す図である。本発明では、これらはデジタルカメラとして実現されている。シャッター８１０は撮影を開始するためのボタン、モードダイヤル８２０は、デジタルカメラの様々なモードを設定したり、液晶パネル８３０に表示されるメニューを操作するのに使用される。液晶パネル８３０は、撮影画像を表示するのはもちろんのこと、モードを設定するときのメニューや、撮影した画像へのタイトル付けの際のメニュー、ネットワークに接続する際のあて先入力のメニューなどの表示にも使用される。
【００１９】
以上のような構成を持つシステムの動作について、図２から図７のフローチャートを使用して説明する。
【００２０】
先ず、画像撮影装置１００は、電源ＯＮなどの開始操作により処理が開始し、図２のステップＳ２０１０において撮像部１０１から画像を取得する。次にステップＳ２０２０において、傾き検出部１０４から撮影装置１００の現在の傾きを取得する。傾きは、装置を水平に保持した場合を基準としてどれだけ傾いているかを表す値である。
【００２１】
そして、ステップＳ２０３０において、取得した画像を出力部１０３（液晶パネル８３０）に表示する。ステップＳ２０４０において、クライアント（画像表示装置２００）と接続済みか否かを判定し、接続済みでなければ、ステップＳ２０１０から処理を繰り返す。
【００２２】
クライアントと接続していれば、ステップＳ２０５０において回転補正すべきか否かを判定する。この判定は、画像撮影装置１００の傾きと、クライアント接続時にクライアントから通知される画像表示装置２００の傾きの情報を比べて判定する。例えば、画像撮影装置１００の傾きが図９（ｂ）のように右９０度傾いていた場合、これをそのまま、正立した画像表示装置２００に配信して表示したのでは、図９（ｂ’）のように、画像が倒れたように表示される。
【００２３】
そこで、このような場合には、ステップＳ２０６０において画像を右９０度傾くように補正し、補正した画像をステップＳ２０７０で画像表示装置２００に配信することで、画像表示装置２００は、図１０（ｂ’）のような、正立した画像を表示することができる。その後、ステップＳ２０８０において、接続されているクライアント（画像表示装置２００）全てに配信し終えたか否かを、図６に示すクライアント接続テーブルにより判定し、まだ配信していないクライアントがあれば、ステップＳ２０５０に戻り処理を繰り返す。また配信し終えたのであれば、ステップＳ２０１０から処理を繰り返す。このようにして画像の回転補正が必要なときに、回転補正されて画像が配信できるようになる。
【００２４】
図３は、クライアント（画像表示装置２００）からの接続を待機するフローチャートである。ステップＳ３０１０でクライアントからの接続を待機し、クライアントかの接続が成功すると（Ｓ２０２０）、ステップＳ３０３０において、図６に示すクライアント接続テーブルに登録する。このとき、画像表示装置２００の傾き（姿勢）が通知された場合には、クライアント接続テーブルに登録する。傾き（姿勢）が通知されなかった場合は、規定値として正立しているものとして、処理を進める。また、回転不可として通知されると（図６のクライアント３の例）、画像撮影装置１００では、画像の回転補正を行わない。クライアント接続テーブルは、本実施では、テーブル構造となっているが、リスト構造として構成されといてもよく、特に限定したものではない。
【００２５】
図４は、クライアント（画像表示装置２００）との切断を待機するフローチャートである。ステップＳ４０１０でクライアントとの切断を待機し、クライアントとの切断が成功すると（Ｓ４０２０）、ステップＳ４０３０において、クライアント接続テーブルから、該クライアントを削除する。
【００２６】
図５は、クライアント（画像表示装置２００）の傾き（姿勢）の変更通知を待機するフローチャートである。ステップＳ５０１０でクライアントからの変更通知を待機し、クライアントから変更通知があると（Ｓ５０２０）、ステップＳ５０３０において、クライアント接続テーブルを、通知されてきた姿勢情報に更新する。
【００２７】
一方、クライアント（画像表示装置２００）の動作について、図７のフローチャートにより説明する。画像表示装置２００は、入力部２００（モードダイアル８２０）、出力部１０３（液晶パネル８３０）などのメニュー操作により、ステップＳ７０１０において、画像撮影装置１００に接続する。接続が成功しなかった場合は、利用者にステップＳ７０７０において報知する。接続し成功した場合には、ステップＳ７０２０において、画像表示装置２００の姿勢（傾き）が前回と異なった場合に、画像撮影装置１００に通知する。もし画像の回転補正が必要なければ、ここでは通知しない。そして、ステップＳ７０４０で画像を受信し、ステップＳ７０５０でもう画像が配信されてこなかったか否かを判定し、画像の配信が終了したのであれば、一連の処理を終了する。まだ画像の配信が継続しているのであれば、ステップＳ７０６０で受信した画像を表示する。
【００２８】
以上説明したように、本発明を適用したシステムによれば、撮影した画像をネットワークを介して配信する画像撮影装置と、配信された画像を受信して表示する画像表示装置から構成される画像配信システムにおいて、画像撮影時の画像撮影装置の姿勢（縦横位置の回転方向）と、画像表示装置の姿勢とに基づいて、画像の向きを回転させて、縦横位置が変わらず正立して表示されるようにしたので、利用者にとって見やすく、利便性の高い、画像配信システムとすることができる。
【００２９】
（第２の実施形態）
以下、添付図面を用いて、本発明に係る好適な第２の実施形態を詳細に説明する。
【００３０】
本第２の実施形態であるプログラム管理システムのブロック図は、第１の実施形態のそれと同じであるので、説明を割愛する。
【００３１】
本第２の実施形態の発明においては、撮影装置２００が姿勢変更中（回転中）は、撮影した画像を配信しないように構成されていることを特徴とする。
【００３２】
以上のような構成を持つシステムの動作について、図１１のフローチャートを使用して説明する。
【００３３】
先ず、画像撮影装置１００は、電源ＯＮなどの開始操作により処理が開始し、図１１のステップＳ１１０１０において撮像部１０１から画像を取得する。次にステップＳ１１０２０において、傾き検出部１０４から撮影装置１００の現在の傾きを取得する。傾きは、装置を水平に保持した場合を基準としてどれだけ傾いているかを表す値である。
【００３４】
そして、ステップＳ１１０３０において、取得した画像を出力部１０３（液晶パネル８３０）に表示する。そして、ステップＳ１１０４０において、撮影装置２００が姿勢変更中（回転中）か否かを判定し、回転中であれば、ステップＳ１１０１０に戻り、撮影した画像を配信しないようになる。
【００３５】
ステップＳ１１０５０において、クライアント（画像表示装置２００）と接続済みか否かを判定し、接続済みでなければ、ステップＳ１１０１０から処理を繰り返す。クライアントと接続していれば、ステップＳ１１０６０において回転補正すべきか否かを判定する。この判定は、画像撮影装置１００の傾きと、クライアント接続時にクライアントから通知される画像表示装置２００の傾きの情報を比べて判定する。例えば、画像撮影装置１００の傾きが図９（ｂ）のように右９０度傾いていた場合、これをそのまま、正立した画像表示装置２００に配信して表示したのでは、図９（ｂ’）のように、画像が倒れたように表示される。そこで、このような場合には、ステップＳ１１０７０において画像を右９０度傾くように補正し、補正した画像をステップＳ１１０８０で画像表示装置２００に配信することで、画像表示装置２００は、図１０（ｂ’）のような、正立した画像を表示することができる。
【００３６】
その後、ステップＳ１１０９０において、接続されているクライアント（画像表示装置２００）全てに配信し終えたか否かを、図６に示すクライアント接続テーブルにより判定し、まだ配信していないクライアントがあれば、ステップＳ１１０６０に戻り処理を繰り返す。また配信し終えたのであれば、ステップＳ１１０１０から処理を繰り返す。このようにして画像の回転補正が必要なときに、回転補正されて画像が配信できるようになる。また、撮影装置２００が姿勢変更中（回転中）は、撮影した画像を配信しないようになる。
【００３７】
以上説明したように、本発明を適用したシステムによれば、撮影した画像をネットワークを介して配信する画像撮影装置と、配信された画像を受信して表示する画像表示装置から構成される画像配信システムにおいて、画像撮影時の画像撮影装置の姿勢（縦横位置の回転方向）と、画像表示装置の姿勢とに基づいて、画像の向きを回転させて、縦横位置が変わらず正立して表示されるようにしたので、利用者にとって見やすく、利便性の高い、画像配信システムとすることができる。
【００３８】
さらに、画像撮影装置が回転中は、撮影画像を、画像表示装置に配信しないようにしたので、画像の不要な乱れがなく、よりいっそう利用者にとって見やすくなるとともに、ネットワークに配信されるデータも軽減できるという効果がある。
【００３９】
（第３の実施形態）
以下、添付図面を用いて、本発明に係る好適な第３の実施形態を詳細に説明する。
【００４０】
本第３の実施形態であるプログラム管理システムのブロック図は、第１の実施形態のそれと同じであるので、説明を割愛する。
【００４１】
撮影装置２００が、画像の向きを回転させる必要があると判断したとき、ネットワーク１を介して接続された、サーバー装置３００に回転の補正を実施させるように構成されたたことを特徴とする。
【００４２】
以上のような構成を持つシステムの動作について、図２と図１２のフローチャートを使用して説明する。
【００４３】
先ず、画像撮影装置１００は、電源ＯＮなどの開始操作により処理が開始し、図２のステップＳ１２０１０において撮像部１０１から画像を取得する。第１の実施形態で説明したように、順次処理を進め、ステップＳ１２０５０において回転補正すべきか否か（回転補正しすべき対象クライアントが１つでもあるか）を判定すると、ステップＳ１２０６０において、画像撮影装置１００が画像補正を実施するのではなく、サーバー装置３００に回転の補正を実施させる。
【００４４】
サーバー装置３００は、ステップＳ１２０２０において、撮影装置１００からの接続を待機し、接続が成功すると、ステップＳ１２０３０において画像を取得し、ステップＳ１２０４０において、画像を配信するクライアント一覧を取得する。この一覧は図６のクライアント接続テーブルに等価である。そしてステップＳ１２０５０において回転補正すべきか否かを判定し、補正すべきものはステップＳ１２０６０で補正して、ステップＳ１２０７０において、クライアントに画像を転送する。
【００４５】
その後、ステップＳ１２０８０において、接続されているクライアント（画像表示装置２００）全てに配信し終えたか否かを、図６に示すクライアント接続テーブルにより判定し、まだ配信していないクライアントがあれば、ステップＳ１２０５０に戻り処理を繰り返す。また配信し終えたのであれば、ステップＳ１２０１０から処理を繰り返す。このようにして画像の回転補正が必要なときに、サーバー装置３００において回転補正されて画像が配信できるようになる。
【００４６】
以上説明したように、本発明を適用したシステムによれば、撮影した画像をネットワークを介して配信する画像撮影装置と、配信された画像を受信して表示する画像表示装置から構成される画像配信システムにおいて、画像撮影時の画像撮影装置の姿勢（縦横位置の回転方向）と、画像表示装置の姿勢とに基づいて、画像の向きを回転させて、縦横位置が変わらず正立して表示されるようにしたので、利用者にとって見やすく、利便性の高い、画像配信システムとすることができる。
【００４７】
さらに、画像の向きを回転させる必要があると判断したとき、ネットワークを介して接続された、サーバー装置に回転の補正を実施させるようにしたので、画像撮影装置の資源を有効に使えるとともに、より高性能の装置で補正が行われるので、利用者に迅速なレスポンスを提供できるという効果がある。
【００４８】
（他の実施形態）
本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【００４９】
この場合、記憶媒体から読み出されたプログラムコード自体が前述した実施形態の機能を実現することになり、そのプログラムコードを記憶した記憶媒体は本発明を構成することになる。
【００５０】
プログラムコードを供給するための記憶媒体としては、例えば、フロッピー（登録商標）ディスク、ハードディスク、光ディスク、光磁気ディスク、ＣＤ−ＲＯＭ、ＤＶＤ−ＲＯＭ、磁気テープ、不揮発性のメモリカード、ＲＯＭなどを用いることが出来る。
【００５１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【００５２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５３】
【図１】本発明の実施形態における画像配信システムの構成を示すブロック図である。
【図２】本発明の実施形態における動作手順を示したフローチャートである。
【図３】本発明の実施形態における動作手順を示したフローチャートである。
【図４】本発明の実施形態における動作手順を示したフローチャートである。
【図５】本発明の実施形態における動作手順を示したフローチャートである。
【図６】本発明の実施形態におけるクライアント接続テーブルを示した図である。
【図７】本発明の実施形態における動作手順を示したフローチャートである。
【図８】本発明の実施形態における処理動作を説明する画面表示の例である。
【図９】本発明の実施形態における処理動作を説明する画面表示の例である。
【図１０】本発明の実施形態における処理動作を説明する画面表示の例である。
【図１１】本発明の第２実施形態における動作手順を示したフローチャートである。
【図１２】本発明の第３実施形態における動作手順を示したフローチャートである。
【符号の説明】
【００５４】
１  ネットワーク
１００  画像撮影装置
１０１  撮影部
１０２  主記憶装置
１０３  出力部
１０４  傾き検出部
１０５  画像処理部
１０６  入力部
１０７  制御部
１０８  ＣＰＵ
１０９  プログラムメモリ
１１０  Ｉ／Ｆ部
１１１  取り外し可能なメモリ
１１２  ネットワークＩ／Ｆ部
２００  画像表示装置
３００  サーバー装置
【図１】
2005229394.tif 000003
【図２】
2005229394.tif 000004
【図３】
2005229394.tif 000005
【図４】
2005229394.tif 000006
【図５】
2005229394.tif 000007
【図６】
2005229394.tif 000008
【図７】
2005229394.tif 000009
【図８】
2005229394.tif 000010
【図９】
2005229394.tif 000011
【図１０】
2005229394.tif 000012
【図１１】
2005229394.tif 000013
【図１２】
2005229394.tif 000014